(57)【要約】【課題】車両の即時状態を表示し、後方車両の運転者に前方車両の運転状態を認識させること。【解決手段】自動車車体に設置された本体を含み、本体に更に殻体を組み付け、本体と殻体の間に形成した収容スペースの中の本体の上に、車両のブレーキ系統が作動した時に点灯する赤色光源と、ブレーキ系統及びアクセル系統が両方とも作動しない時に点灯する黄色光源と、車両のアクセル系統が作動した時に点灯する緑色光源を設置した。【選択図】図２
0003141091.tif 000002
【実用新案登録請求の範囲】
【請求項１】
車両のアクセル系統、ブレーキ系統及び制御系統に接続された車両用表示装置であって、
本体と、
前記本体の上に組み立てられた殻体と、
本体と殻体の間に形成された収容スペースと、
前記本体の上に設置され、且つ前記収容スペースの中に位置する第一光源と、
本体の中に設置され、且つ前記収容スペースの中に位置する第二光源と、
本体の中に設置され、且つ前記収容スペースの中に位置し、前記車両のアクセル系統に接続された第三光源と、を含むことを特徴とする、
車両用表示装置。
【請求項２】
前記第一光源、第二光源、及び第三光源は、それぞれ赤色光源、黄色光源及び緑色光源であることを特徴とする、請求項１に記載の車両用表示装置。
【請求項３】
車両のアクセル系統、ブレーキ系統及び制御系統に接続された車両用表示装置であって、
本体と、
前記本体の上に組み立てられ、且つ前記本体と殻体の間に形成された収容スペースと、
前記本体の上に設置された複数個の第一光源と、
前記本体の中に設置され、且つ前記収容スペースの中に位置する第二光源と、
前記本体の中に設置され、且つ前記収容スペースの中に位置する複数個の第三光源と、を含むことを特徴とする、
車両用表示装置。
【請求項４】
前記複数個の第一光源には、第一発光セットと、前記第一発光セットに隣接した第二発光セットと、前記第二発光セットに隣接した第三発光セットと、を含むことを特徴とする、請求項２に記載の車両用表示装置。
【請求項５】
前記複数個の第三光源には、第四発光セットと、前記第四発光セットに隣接した第五発光セットと、前記第五発行セットに隣接した第六発光セットと、を含むことを特徴とする、請求項２に記載の車両用表示装置。
【考案の詳細な説明】
【技術分野】
【０００１】
本考案は、車両用表示灯装置に関するものである。
【背景技術】
【０００２】
図１は、従来の車両用表示灯の略図である。
一般自動車の後部表示灯７０、又は後部窓に取り付けられた表示灯７０（第三ブレーキ灯）は、ただ赤色光の表示効果しかないので、後方から来る車両は前方車両の運転状況、例えば、ブレーキを踏む程度や緩める程度を明確に認識することが出来ない。
【０００３】
一方、現在開発に成功した高輝度発光ダイオードは、速い反応速度、高い信頼性、長寿命などの長所を備え、且つ運転安全性の増加及び自動車メンテナンスコストの引き下げなどのメリットがあるため、高輝度発光ダイオードを自動車の光源として応用することは、各界で積極的に追求する目標となっている。
【０００４】
現在、後部表示灯セット、及び行き先表示灯の光源に高輝度発光ダイオードが既に応用されている。高輝度発光ダイオードを後部表示灯の光源として使用することは、前述の安全性及び寿命が長い長所のほかに、発光ダイオードの体積が小さく、発熱量が少なく、後部ランプセットの占める体積を大幅に縮小できるため、後部トランク・スペースの拡張に大きなメリットがある。
【０００５】
そこで、本考案では、発光ダイオードの良好な特性を活かし、車両表示灯の光源とし、且つ車両表示灯の表示方式を改善し、一層好ましい表示効果を提供することを目指した。
【考案の開示】
【考案が解決しようとする課題】
【０００６】
本考案の課題は、従来の後方車両表示灯の表示性不足という問題を解決することにある。
【課題を解決するための手段】
【０００７】
本願の第１考案は、車両のアクセル系統、ブレーキ系統及び制御系統に接続された車両用表示装置であって、本体と、前記本体の上に組み立てられた殻体と、本体と殻体の間に形成された収容スペースと、前記本体の上に設置され、且つ前記収容スペースの中に位置する第一光源と、本体の中に設置され、且つ前記収容スペースの中に位置する第二光源と、本体の中に設置され、且つ前記収容スペースの中に位置し、前記車両のアクセル系統に接続された第三光源と、を含むことを特徴とする、車両用表示装置を提供する。
本願の第２考案は、前記第一光源、第二光源、及び第三光源は、それぞれ赤色光源、黄色光源及び緑色光源であることを特徴とする、前記第１考案に記載の車両用表示装置を提供する。
本願の第３考案は、車両のアクセル系統、ブレーキ系統及び制御系統に接続された車両用表示装置であって、本体と、前記本体の上に組み立てられ、且つ前記本体と殻体の間に形成された収容スペースと、前記本体の上に設置された複数個の第一光源と、前記本体の中に設置され、且つ前記収容スペースの中に位置する第二光源と、前記本体の中に設置され、且つ前記収容スペースの中に位置する複数個の第三光源と、を含むことを特徴とする、車両用表示装置を提供する。
本願の第４考案は、前記複数個の第一光源には、第一発光セットと、前記第一発光セットに隣接した第二発光セットと、前記第二発光セットに隣接した第三発光セットと、を含むことを特徴とする、前記第２考案に記載の車両用表示装置を提供する。
本願の第５考案は、前記複数個の第三光源には、第四発光セットと、前記第四発光セットに隣接した第五発光セットと、前記第五発行セットに隣接した第六発光セットと、を含むことを特徴とする、前記第２考案に記載の車両用表示装置を提供する。
【０００８】
本考案に係る車両用表示装置は、自動車車体の適当なところに設置された本体を含み、本体の上に更に殻体を組み立て、且つ本体と殻体の間に収容スペースを形成し、本体と収容スペースの間には、更に赤色光源・黄色光源及び緑色光源を設け、前記赤色光源は、電気回路を経由して車両のブレーキ系統へ接続され、前記緑色光源は、電気回路を経由して車両のアクセル系統へ接続され、前記黄色光源は、直接制御系統へ接続される。
【０００９】
更に詳しく説明すれば、車両のブレーキ系統が作動する時は、緑色光源が点灯し、一方、ブレーキ系統及びアクセル系統が作動しない時は、黄色光源が点灯し、このように異なる色の光源を経由して、車両の即時状態を表示することによって、後方車両の運転者に前方車両の運転状況を認識させることが出来る。
【考案の効果】
【００１０】
本考案に係る車両表示装置は、従来に比べて、一層優れた表示効果があり、本考案によって、後方車両の運転者が前方車両の運転状態を一層認識し易くするため、早めに反応して交通事故の発生を減少させることが出来る。
【考案を実施するための最良の形態】
【００１１】
本考案の特徴を一層明確にするため、以下に図面を参照しながら本考案の実施の形態について説明する。
説明に当たり以降に説明する特定素子及びその配置は、単に本考案の説明を簡素化するためであって、本考案を制限するものではない。
また、本考案は、各種の実施例において符号や文字を繰り返し使うが、繰り返し使用する目的は、説明の簡素化及び明確化のためであり、各種の実施例及び／又は述べられた構成の枠組みの間の関係を特定するものではない。
【００１２】
図２及び図３は、本考案の好ましい第一実施例を自動車の後部表示灯として応用した斜視略図及び背面図である。
図に示すように、本実施例では、自動車の後部に設置された本体１０を含む。
本体１０の上には更に殻体２０を組み立て、且つ本体１０と殻体２０の間には更に収容スペース３０を形成する。
【００１３】
前記収容スペース３０の中の本体１０の上には、更に第一光源、第二光源及び第三光源を設置する。その中で、第一光源を例えば赤色光源４０、第二光源を例えば黄色光源５０、及び第三光源を例えば緑色光源６０と仮定し、説明し易くするために、赤色光源４０、黄色光源５０、及び緑色光源６０を例にとって説明する。
本図中において、赤色光源４０、黄色光源５０、及び緑色光源６０は、水平方式で配列される。且つ赤色光源４０は、車体の最も外側に位置し、緑色光源６０は、車体の最も内側に位置し、一方、黄色光源５０は赤色光源４０及び緑色光源６０の間に位置している。
ただし、このような配列方式は、設計のニーズに従って変化させることが出来、ここでは只好ましい実施方式を例示したに過ぎない。
【００１４】
本実施例では、各色光源によってそれぞれ車両の異なる状態を表示することが出来る。
例えば、赤色光源４０は、電気回路を経由して車両のブレーキ系統へ接続され、且つ車両のブレーキ状態の表示に使われる。
緑色光源６０は、電気回路を経由して車両のアクセル系統へ接続し、且つ車両のアクセル駆動状態の表示に使われる。
【００１５】
そして、黄色光源５０は、直接制御系統に接続され、車両の停止状態を示する（接続手段は公知の一般電気的接続方式を採用でき、当業者なら必ず理解できる技術手段であるため、ここでは、図示や説明を略する）。
【００１６】
更に説明すれば、車両のブレーキ系統が作動した時は、赤色光源４０が点灯し、車両のアクセル系統が作動した時は、緑色光源６０が点灯し、そして、ブレーキ系統とアクセル系統が両方共作動していない時は、黄色光源５０が点灯する。
【００１７】
このように、異なる色の光源によって、車両の即時状態を表示することにより、後方車両の運転者は前方車両の運転状態を認識できて、突発的な情況が発生した場合にも、直ちに反応することが出来る。
【００１８】
各色光源には幾種類もの構成方式がある。
例えば、図４では、赤色光源４０、黄色光源５０及び緑色光源６０は、単独一個の発光ダイオードで構成されている。
つまり、赤色光源４０は、赤色発光ダイオード４１を一個使用し、黄色光源５０は、黄色発光ダイオード５１を一個使用し、緑色光源６０は、緑色発光ダイオード６１を一個使用している。
【００１９】
又、例えば図５においては、赤色光源４０、黄色光源５０及び緑色光源６０は、複数個の発光ダイオードで構成されている。つまり、赤色光源４０は、赤色発光ダイオード４１を複数個使用し、黄色光源５０は、黄色発光ダイオード５１を複数個使用し、緑色光源６０は、緑色発光ダイオード６１を複数個使用している。
【００２０】
上述した他に、本考案は各色光源を数多く利用する方式を採用して、より一層詳しく車両の状態を表示することも出来る。
より良く説明するために、本考案の第二実施例を使って説明する。
【００２１】
図６Ａに示すように、この実施例では、複数個の赤色光源４０、複数個の緑色光源６０及び単独一個の黄色光源５０を含む。
図で分かるように、赤色光源４０は、縦方向に連続配置された三つの光源である第一発光セット４２と、第二発光セット４３及び第三発光セット４４、によって構成され、緑色光源６０は、縦方向に連続配置された三つの光源である第四発光セット６２と、第五発光セット６３及び第六発光セット６４、によって構成されている。
【００２２】
このような設計によって、本実施例には漸進的表示効果がある。
例えば、赤色光源４０が一個だけ、つまり第一発光セット４２だけが点灯した時は、ブレーキ系統がただ初期の作動状態（軽くブレーキを掛けた状態）にあることを表し、第一発光セット４２と、第二発光セット４３及び第三発光セット４４が、全部点灯した時は、ブレーキ系統が全面作動状態（非常ブレーキ又は急ブレーキを掛けた状態）にあることを表す。
こうして、後方の車両は、赤色光源４０の点滅状態によって、一層ハッキリと前方車両の動態を認識して早目に反応ることが出来る。
【００２３】
複数個の緑色光源６０の作用形態は赤色光源４０と同じである。
違うところは、緑色光源６０はアクセル系統の状態を表すということのみである。
【００２４】
又、黄色光源５０は、アクセルが作動せず且つブレーキが作動していないという情況を表すので、黄色光源５０では漸進式の複数光源設計を必要としないため、本実施例では、コストを節約するため、一個の黄色光源５０で実施の形態とした。
【００２５】
又、第二実施例中の赤色光源４０（第一発光セット４２、第二発光セット４３、第三発光セット４４）と、黄色光源５０及び緑色光源６０（第四発光セット６２、第五発光セット６３、第六発光セット６４）は、第一実施例と同じように、一個、又は複数個の発光ダイオードによって構成しても良い。
【００２６】
漸進式複数光源の設計は、上述した縦方向に連続配置した実施例の他に、横方向連続配置（図６Ｂに示すように）方式をとってもよい。
【００２７】
本考案では、もう一つ別の実施例について説明する。
図７に示すのは、本考案の第四実施例である。
本例では、上述した赤色光源４０の第一発光セット４２、第二発光セット４３、第三発光セット４４、及び緑色光源６０の第四発光セット６２、第五発光セット６３、第六発光セット６４の組成方式を、同心円の形態に配置して構成してもよい。
【００２８】
赤色光源４０を例に取ると、最も内側の第一発光セット４２が点灯すると、ブレーキ系統がただ初期の作動状態（軽くブレーキを掛けた状態）にあることを示し、内側の第一発光セット４２から最も外側にある第三発光セット４４までの全部が点灯した時は、ブレーキ系統が全面作動状態（非常ブレーキ又は急ブレーキを掛けた状態）にあることを表す。
【００２９】
同様に図８に示すように、赤色光源４０の第一発光セット４２、第二発光セット４３、第三発光セット４４は、一個、又は複数個の赤色発光ダイオード４１によって構成してもよい。
黄色光源５０と緑色光源６０の実施方式は既述した通りであるから、ここでは説明を省略する。
【００３０】
勿論、本考案に係る表示装置は、上述した各実施例で自動車の後部（図２に示すように）に装着することのほかに、図９に示すように、自動車の後ろ窓に応用したり、又は図１０に示すように、車両後部のナンバープレートのところに応用してもよい。
【００３１】
本考案に係る車両表示装置は、従来に比べ、一層優れた表示効果があり、本考案の設計によって、後方車両の運転者が前方車両の運転状態を一層認識し易くし、早めに反応して、事故の発生を減少させることが出来る。
【００３２】
以上の記載は本考案に係る実施例の説明に過ぎず、本考案はこれらの実施例の範囲に限定されるものではなく、凡そ本考案の精神を逸脱しない範囲で適宜行なわれる等価の変更及び修飾は、すべて本考案に含まれるべきものである。
【図面の簡単な説明】
【００３３】
【図１】従来の車両表示灯の略図である。
【図２】本考案に係る表示装置を後部灯として応用した略図である。
【図３】本考案の第一実施例の背面図である。
【図４】本考案の第一実施例において光源を発光ダイオード一個で構成した略図である。
【図５】本考案の第一実施例において光源を発光ダイオード複数個で構成した略図である。
【図６Ａ】本考案を車両の後部灯として使用した第二実施例の略図である。
【図６Ｂ】本考案を車両の後部灯として使用した第三実施例の略図である。
【図７】本考案を車両の後部灯として使用した第四実施例の略図である。
【図８】本考案の第四実施例において光源を発光ダイオード複数個で構成した略図である。
【図９】本考案の表示装置を車両の後ろ窓に応用した略図である。
【図１０】本考案の表示装置を車両の後ろのナンバープレートの所に応用した略図である。
【符号の説明】
【００３４】
１０・・・・・本体
２０・・・・・殻体
３０・・・・・収容スペース
４０・・・・・赤色光源
４１・・・・・赤色発光ダイオード
４２・・・・・第一発光セット
４３・・・・・第二発光セット
４４・・・・・第三発光セット
５０・・・・・黄色光源
５１・・・・・黄色発光ダイオード
６０・・・・・緑色光源
６１・・・・・緑色発光ダイオード
６２・・・・・第四発光セット
６３・・・・・第五発光セット
６４・・・・・第六発光セット
７０・・・・・表示灯
【図１】
0003141091.tif 000003
【図２】
0003141091.tif 000004
【図３】
0003141091.tif 000005
【図４】
0003141091.tif 000006
【図５】
0003141091.tif 000007
【図６Ａ】
0003141091.tif 000008
【図６Ｂ】
0003141091.tif 000009
【図７】
0003141091.tif 000010
【図８】
0003141091.tif 000011
【図９】
0003141091.tif 000012
【図１０】
0003141091.tif 000013
【手続補正書】
【提出日】平成20年2月21日(2008.2.21)
【手続補正１】
【補正対象書類名】実用新案登録請求の範囲
【補正対象項目名】請求項４
【補正方法】変更
【補正の内容】
【請求項４】
前記複数個の第一光源には、第一発光セットと、前記第一発光セットに隣接した第二発光セットと、前記第二発光セットに隣接した第三発光セットと、を含むことを特徴とする、請求項３に記載の車両用表示装置。
【手続補正２】
【補正対象書類名】実用新案登録請求の範囲
【補正対象項目名】請求項５
【補正方法】変更
【補正の内容】
【請求項５】
前記複数個の第三光源には、第四発光セットと、前記第四発光セットに隣接した第五発光セットと、前記第五発行セットに隣接した第六発光セットと、を含むことを特徴とする、請求項３に記載の車両用表示装置。
【手続補正３】
【補正対象書類名】明細書
【補正対象項目名】０００７
【補正方法】変更
【補正の内容】
【０００７】
本願の第１考案は、車両のアクセル系統、ブレーキ系統及び制御系統に接続された車両用表示装置であって、本体と、前記本体の上に組み立てられた殻体と、本体と殻体の間に形成された収容スペースと、前記本体の上に設置され、且つ前記収容スペースの中に位置する第一光源と、本体の中に設置され、且つ前記収容スペースの中に位置する第二光源と、本体の中に設置され、且つ前記収容スペースの中に位置し、前記車両のアクセル系統に接続された第三光源と、を含むことを特徴とする、車両用表示装置を提供する。
本願の第２考案は、前記第一光源、第二光源、及び第三光源は、それぞれ赤色光源、黄色光源及び緑色光源であることを特徴とする、前記第１考案に記載の車両用表示装置を提供する。
本願の第３考案は、車両のアクセル系統、ブレーキ系統及び制御系統に接続された車両用表示装置であって、本体と、前記本体の上に組み立てられ、且つ前記本体と殻体の間に形成された収容スペースと、前記本体の上に設置された複数個の第一光源と、前記本体の中に設置され、且つ前記収容スペースの中に位置する第二光源と、前記本体の中に設置され、且つ前記収容スペースの中に位置する複数個の第三光源と、を含むことを特徴とする、車両用表示装置を提供する。
本願の第４考案は、前記複数個の第一光源には、第一発光セットと、前記第一発光セットに隣接した第二発光セットと、前記第二発光セットに隣接した第三発光セットと、を含むことを特徴とする、前記第３考案に記載の車両用表示装置を提供する。
本願の第５考案は、前記複数個の第三光源には、第四発光セットと、前記第四発光セットに隣接した第五発光セットと、前記第五発行セットに隣接した第六発光セットと、を含むことを特徴とする、前記第３考案に記載の車両用表示装置を提供する。